(57)【要約】【課題】本発明は、直感的な操作が可能であり省電力化された、回転ダイヤル部を備える携帯電子機器を提供することを目的とする。【解決手段】携帯電話機１は、所定の回転軸を中心として回転可能に取り付けられる回転ダイヤル部４１と、回転ダイヤル部４１への接触を検出する接触検出部７１と、接触検出部７１により接触が検出された状態における回転ダイヤル部４１の回転に基づいて機能を指定する機能指定部７２と、機能指定部７２により指定された指定機能を実行可能な機能実行部７３と、を備える。【選択図】図１
2010231451.tif 000002
【特許請求の範囲】
【請求項１】
筐体と、
前記筐体に所定の回転軸を中心として回転可能に取り付けられる回転ダイヤル部と、
前記回転ダイヤル部への接触を検出する接触検出部と、
前記接触検出部により接触が検出された状態における前記回転ダイヤル部の回転に基づいて機能を指定する機能指定部と、
前記機能指定部により指定された指定機能を実行可能な機能実行部と、を備える
携帯電子機器。
【請求項２】
前記機能指定部は、
前記回転ダイヤル部における回転を検出する回転検出部と、
前記回転検出部により検出された回転に基づいて機能を指定する指定部と、を備え、
前記回転検出部は、
前記接触検出部により接触が検出された場合には起動され又は実行状態が維持され、
前記接触検出部により接触が検出されない場合には実行状態が終了され又は起動しない状態が維持される
請求項１に記載の携帯電子機器。
【請求項３】
前記指定部は、
前記接触検出部により検出される状態が接触状態から非接触状態に変化した場合、前記回転検出部により検出された回転に基づいて機能を指定する
請求項２に記載の携帯電子機器。
【請求項４】
前記機能実行部は、前記接触検出部により検出される状態が接触状態から非接触状態に変化した後、
所定時間内に接触が検出されない場合には、前記指定機能を実行し、
前記所定時間内に接触が検出された場合、前記指定機能を実行しない
請求項１から３に記載の携帯電子機器。
【発明の詳細な説明】
【技術分野】
【０００１】
本発明は、回転ダイヤルを有する携帯電子機器に関する。
【背景技術】
【０００２】
携帯電子機器としての携帯電話機において、より直感的なユーザインターフェースが要求されている。ここで、ヒンジ部を有するフォルダタイプの携帯電話機において、ヒンジ部にボリューム切り替え等に用いる回転ダイヤルを設けた携帯電話機が知られている（例えば、特許文献１を参照。）。
【０００３】
近年、携帯電話機は、通信・通話機能のみならずテレビやラジオを視聴する機能も搭載され多機能化されている。
ここで、携帯電話機において、テレビ視聴機能等の機能が選択されていない場合には、通信・通話の待受画面がトップ画面として表示される。
そして、ユーザが所定の操作を行うことにより、待受画面から他の機能を選択するメニュー選択画面に移行すると共に、当該選択メニュー画面においてユーザが所定の機能を選択することで所望の機能を起動させることができる。
【０００４】
しかし、メニュー選択画面には、多数の機能が列記されるため不慣れなユーザにとってはスムースな操作が困難であり、携帯電話機自体の使用について抵抗を感じる場合があった。
【０００５】
ところで、デジタルカメラにおいては、回転ダイヤルによってメニュー選択を行うものが知られている。この回転ダイヤルには、ムービー機能（動画を記録する機能）や、連写機能（静止画撮影を短時間に複数行う機能）等の撮影作業を補助するメニューが選択可能に割り当てられている（例えば、特許文献２を参照。）。
【先行技術文献】
【特許文献】
【０００６】
【特許文献１】特開平６−９０２００号公報
【特許文献２】特開２００１−２４５１８９号公報
【発明の概要】
【発明が解決しようとする課題】
【０００７】
現在、携帯電話機においては、デジタルカメラに用いられているような回転ダイヤルによる複数メニューの選択方式は採用されていない。
また、携帯電話機には、デジタルカメラにはない特有の機能（通信・通話機能）が含まれており、トップ画面としての通信・通話の待受画面が表示されるという相違点がある。
【０００８】
更には、通信・通話機能とは異なる所定のアプリケーションを動作させた後、該所定の機能を終了した場合には、通信・通話の待受画面が表示される等の仕様上の相違点も存在する。
したがって、特許文献２に示されているような技術を携帯電話機に単に応用しただけでは、携帯電話機の操作上及び使用上不都合が生ずる。
【０００９】
一方、回転ダイヤルにより複数メニューを選択する選択方式を採用する場合、回転ダイヤルにおける回転を検出するための検出部に供給する電力が必要となる。ここで、近年の携帯電話機における多機能化に伴う消費電力増加に対応するため、検出部における消費電力を少なくする工夫が求められる。
【００１０】
本発明は、直感的な操作が可能であり省電力化された、回転ダイヤル部を備える携帯電子機器を提供することを目的とする。
【課題を解決するための手段】
【００１１】
本発明は、筐体と、前記筐体に所定の回転軸を中心として回転可能に取り付けられる回転ダイヤル部と、前記回転ダイヤル部への接触を検出する接触検出部と、前記接触検出部により接触が検出された状態における前記回転ダイヤル部の回転に基づいて機能を指定する機能指定部と、前記機能指定部により指定された指定機能を実行可能な機能実行部と、を備える携帯電子機器に関する。
【００１２】
また、前記機能指定部は、前記回転ダイヤル部における回転を検出する回転検出部と、前記回転検出部により検出された回転に基づいて機能を指定する指定部と、を備え、前記回転検出部は、前記接触検出部により接触が検出された場合には起動され又は実行状態が維持され、前記接触検出部により接触が検出されない場合には実行状態が終了され又は起動しない状態が維持されることが好ましい。
【００１３】
また、前記指定部は、前記接触検出部により検出される状態が接触状態から非接触状態に変化した場合、前記回転検出部により検出された回転に基づいて機能を指定することが好ましい。
【００１４】
また、前記機能実行部は、前記接触検出部により検出される状態が接触状態から非接触状態に変化した後、所定時間内に接触が検出されない場合には、前記指定機能を実行し、前記所定時間内に接触が検出された場合、前記指定機能を実行しないことが好ましい。
【発明の効果】
【００１５】
本発明によれば、直感的な操作が可能であり省電力化された、回転ダイヤル部を備える携帯電子機器を提供することができる。
【図面の簡単な説明】
【００１６】
【図１】本発明に係る携帯電話機の外観図である。
【図２】携帯電話機の閉状態における表示部側筐体から見たときの外観図である。
【図３】携帯電話機の閉状態における操作部側筐体から見たときの外観図である。
【図４】回転ダイヤル部付近の拡大図である。
【図５】回転ダイヤル部の機能を示す図である。
【図６】回転ダイヤル部における裏面から見た平面図である。
【図７】回転ダイヤル部に形成された位置ポイントとカウント部との関係を説明する図である。
【図８】携帯電話機の機能を示す機能ブロック図である。
【図９Ａ】メモリに記憶されている回転量−機能テーブルを説明する図である。
【図９Ｂ】メモリに記憶されている回転量−機能テーブルを説明する図である。
【図１０】携帯電話機の動作を説明するフローチャートである。
【図１１】メニュー画像Ｍを説明する図である。
【発明を実施するための形態】
【００１７】
以下、本発明の実施の形態について説明する。
まず、図１から図７により、携帯電話機１における構成について説明する。図１は、本発明に係る携帯電話機の一例である携帯電話機１の外観図を示す。また、図２は、携帯電話機１の閉状態における表示部側筐体３から見たときの外観図を示す。また、図３は、携帯電話機１の閉状態における操作部側筐体２から見たときの外観図を示す。また、図４は、回転ダイヤル部４１付近の拡大図を示す。また、図５は、回転ダイヤル部の機能を示す図である。図６は、回転ダイヤル部４１における裏面４１ｃから見た平面図である。図７は、回転ダイヤル部４１に形成された位置ポイント４３とカウント部４４との関係を説明する図である。
【００１８】
携帯電話機１は、図１に示すように、第１面としての第１表面部１０を有する操作部側筐体２と、第２面としての第２表面部２０を有する表示部側筐体３と、を備えて構成される。操作部側筐体２の上端部と表示部側筐体３の下端部とは、連結部４に配置されるヒンジ機構４Ａを介して連結される。
【００１９】
携帯電話機１は、ヒンジ機構４Ａを介して連結された操作部側筐体２と表示部側筐体３とを相対的に回転することにより、操作部側筐体２における第１表面部１０と表示部側筐体３における第２表面部２０とが互いに離間した開状態と、操作部側筐体２における第１表面部１０と操作部側筐体２における第２表面部２０とが互いに対向して近接配置された閉状態とに変形可能に構成される。
また、携帯電話機１は、ヒンジ機構４Ａと略同軸に設定された回転軸Ｚを中心に回転可能に取り付けられた回転ダイヤル部４１が配置される。
【００２０】
操作部側筐体２は、第１表面部１０Ａと第１裏面部１０Ｂとを有する。操作部側筐体２における第１表面部１０Ａには、図１に示すように、閉状態にて隠れる操作部１１と、使用者が通話時に発した音声が入力されるマイク１２とが配置される。操作部側筐体２における第１裏面部１０Ｂには、図３に示すように、被写体を撮像するＣＣＤ（Ｃｈａｒｇｅ  Ｃｏｕｐｌｅｄ  Ｄｅｖｉｃｅ）カメラ等により構成される撮像部１７と、一定の光量を出力する発光部１８とが形成される。
【００２１】
操作部１１は、各種設定や電話帳機能やメール機能等の各種機能（アプリケーション）を動作させるためのキー、オフフックキーや、オンフックキーを含む機能設定操作ボタン１３と、電話番号の数字やメール等の文字等を入力するための入力操作ボタン１４と、各種操作における決定やスクロール等を行う決定操作ボタン１５と、ボリュームコントロール等を行うコントロールボタン１６と、から構成される。
ここで、携帯電話機１には、所定の機能（アプリケーション）を選択する操作部材として上述の機能設定操作ボタン１３のほか、後に詳述する回転ダイヤル部４１が配置される。
【００２２】
また、操作部側筐体２は、キー構造部と、キー基板と、ケース体と、基準電位パターン層及び携帯電話機用のＲＦ（Ｒａｄｉｏ  Ｆｒｅｑｕｅｎｃｙ）モジュール等の各種電子部品を備える回路基板と、アンテナ部と、充電池８０と、後述する回転ダイヤル部４１における回転量を検出するために用いられるカウント部４４（図７参照）と、を収容する。
【００２３】
表示部側筐体３における第２表面部２０には、各種情報を表示するための表示部としてのディスプレイ２１と、通話の相手側の音声を出力する音声出力部２２と、が配置される。
【００２４】
ディスプレイ２１は、トップ画面として通信・通話待受画像を表示する。また、ディスプレイ２１は、機能の内容を示す画像を含むメニュー画像Ｍ（図１１参照）が表示可能に構成される。詳細には、ディスプレイ２１には、後述するタッチセンサ２００（接触検出部７１）が回転ダイヤル部４１に指等の導電体が接触したことを検出した場合、メニュー画面が表示される。
【００２５】
メニュー画像Ｍ（図１１参照）は、目印４２の横に並ぶ選択位置Ｓに配置された後述のアイコンＩに対応する機能（アプリケーション）の内容を示す画像及び／文字を含む。メニュー画像Ｍは、開状態において操作部１１及びディスプレイ２１側から見た回転ダイヤル部４１における機能表示部４１Ｂの表示態様と類似して構成される。本実施形態においては、メニュー画像Ｍは、アプリケーションに対応する機能の名称（略称）を含んで構成される。メニュー画像Ｍは、機能表示部４１ＢにおけるアイコンＩと同様（例えば、相似）の画像を含んで構成されていてもよい。また、ディスプレイ２１は、所定の機能を動作させるためのアプリケーションに基づく画像を表示可能に構成される。なお、ディスプレイ２１は、閉状態において隠れる位置に配されている。
【００２６】
ここで、カメラ機能を動作させるアプリケーションが起動している場合、ディスプレイ２１には、撮像部１７により撮像される画像が表示可能に構成される。メール機能を動作させるアプリケーションが起動されている場合、ディスプレイ２１には、受信された電子メールの一覧やメール作成画面が表示可能に構成される。カレンダー機能を動作させるアプリケーションが起動されている場合、ディスプレイ２１には、各月のカレンダー画面やスケジュール画面が表示可能に構成される。ツール機能を動作させるアプリケーションが起動されている場合、ディスプレイ２１には、複数のツール機能を示すアイコンが表示可能に構成される。テレビ機能を動作させるアプリケーションが起動されている場合、ディスプレイ２１には、受信した放送信号のうち選択されたチャンネルに対応する放送信号に基づいた映像を表示可能に構成される。メモ帳機能を動作させるアプリケーションが起動されている場合、ディスプレイ２１には、文字入力が可能な入力画面が表示可能に構成される。アドレス帳機能を動作させるアプリケーションが起動されている場合、ディスプレイ２１には、不図示のメモリに記憶される複数のアドレス情報が表示可能に構成される。これらのアプリケーションは、オンフックキー（終話キー）の押下で終了させることが可能である。
【００２７】
上述のアプリケーションが終了された場合、ディスプレイ２１は、トップ画面としての通信・通話待受画面を表示する。そして、後述する機能実行部７３は、電話機能を使用可能なアプリケーションを動作させている。そして、操作部１１は、数字を入力する機能が割り当てられた入力操作ボタン１４が押下されることで発呼すべき電話番号の入力を受け付ける。
【００２８】
表示部側筐体３における第２裏面２０Ｂには、図２に示すように、各種情報を表示するためのサブディスプレイ２３が閉状態であっても外部に露出する位置に配置される。
サブディスプレイ２３にも同様に、上述の各種機能を動作させるアプリケーションに基づく画像が表示されるが、ディスプレイ２１に比べて画面が小さいので、ディスプレイ２１に表示される画像の一部や、相似（小さくした）画像が表示される。また、サブディスプレイ２３には、各種機能のうち携帯電話機１が閉状態の場合では起動されない機能を動作させるアプリケーションに基づく画像は表示されないように構成される。
【００２９】
ここで、ディスプレイ２１及びサブディスプレイ２３それぞれは、液晶パネルと、液晶パネルを駆動する駆動回路と、液晶パネルの背面側から光を照射するバックライト等の光源部とを有して構成される。
【００３０】
回転ダイヤル部４１は、回転軸Ｚを中心として回転可能に配置される。具体的には、回転ダイヤル部４１は、筐体の一部である連結部４における幅方向Ｘにヒンジ機構４Ａと略同軸の回転軸Ｚを中心として回転可能に取り付けられる。回転ダイヤル部４１は、図１に示すように、携帯電話機１が開状態において、操作部１１及びディスプレイ２１を見ながら回転操作が可能に配置される。
【００３１】
回転ダイヤル部４１は、当接部４１Ａと、機能表示部４１Ｂとを備える。当接部４１Ａは、回転ダイヤル部４１における側面であって、該回転ダイヤル部４１が取り付けられた状態で幅方向Ｘにおける端部側に配置される部分に形成される。当接部４１Ａは、表面に凹凸が形成され回転ダイヤル部４１を回転動作させやすいように構成される。
【００３２】
機能表示部４１Ｂは、回転ダイヤル部４１における側面であって、該回転ダイヤル部４１が取り付けられた状態で当接部４１Ａよりも幅方向Ｘにおける中央側に配置される部分に形成される。機能表示部４１Ｂには、表面に機能を示す記号又絵であるアイコンＩが表示される。機能表示部４１Ｂには、図５に示すように、回転方向に所定角度（例えば、４５度）ごとに機能を示すアイコンＩが表示される。
【００３３】
具体的には、機能表示部４１Ｂには、標準位置としてのニュートラルを示す丸印のアイコンＩａが表示される。また、機能表示部４１Ｂには、４５度（ニュートラルを基準とした場合の回転ａ方向の角度を示す。以下同様である。）の位置に形成されるカメラ機能を示すカメラのアイコンＩｂが表示される。また、機能表示部４１Ｂには、９０度の位置に形成されたメール機能を示す手紙のアイコンＩｃが表示される。また、機能表示部４１Ｂには、１３５度に形成されたカレンダー機能を示すカレンダーのアイコンＩｄが表示される。また、機能表示部４１Ｂには、１８０度の位置に形成されたツール機能を示す工具のアイコンＩｅが表示される。また、機能表示部４１Ｂには、２２５度の位置に形成されたテレビ機能を示すテレビのアイコンＩｆが表示される。また、機能表示部４１Ｂには、２７０度の位置に形成されメモ帳機能を示すペンのアイコンＩｇが表示される。また、機能表示部４１Ｂには、３１５度の位置に形成されアドレス機能を示す手帳のアイコンＩｈが表示される。
【００３４】
機能表示部４１Ｂは、回転操作が加えられた当接部４１Ａの回転にともなって回転される。携帯電話機１が開状態における操作部１１及びディスプレイ２１側に表示されるアイコンＩ（指標）は、当接部４１Ａによる回転にともなって変更される。更には、連結部４の外面であって携帯電話機１が開状態において操作部１１及びディスプレイ２１側を向く位置に形成される目印４２と幅方向Ｘに並んだ位置である選択位置Ｓに配置されるアイコンＩは、回転ダイヤル部４１の回転にともなって変更される。選択位置Ｓに配置されるアイコンＩは、回転ダイヤル部４１の回転量により決まる。本実施形態において、回転位置は標準位置を基準とした回転量により示される。
【００３５】
ここで、本実施形態において、標準位置とは、機能表示部４１Ｂにおける丸印のアイコンＩａが選択位置Ｓに配置された状態をいう。
【００３６】
また、ここで、電子ペーパ等のデバイスを配置して、機能表示部４１Ｂをダイヤル表示部としてもよい。ダイヤル表示部には、同様に、各機能を示す指標が表示される。電子ペーパは、回転ダイヤル部４１の中央側の外周を覆うように配置（機能表示部４１Ｂの位置）することにより、ダイヤル表示部が形成される。ここで、ダイヤル表示部は、接触検出部７１により接触が検出されることでＯＮ状態（表示状態）になるようにしてもよい。また、ダイヤル表示部は、機能変更操作が終了したり、変更機能が確定したり、変更機能が起動したりすることで、ＯＦＦ状態（非表示状態）になるようにしてもよい。
【００３７】
回転ダイヤル部４１における連結部４側には、連結部４に形成された不図示の挿通部に挿入される回転軸部４５が形成される。回転ダイヤル部４１における連結部４側の面である裏面４１ｃには、図６に示すように、円周方向（回転方向）に沿って突起状の位置ポイント４３ａから４３ｈが形成される。位置ポイント４３ａから４３ｈは、円周方向に所定間隔をあけて形成される。位置ポイント４３ａから４３ｈは、円周方向において、各機能を示すアイコンＩ同士の間に形成される。
【００３８】
連結部４には、回転ダイヤル部４１が回転された状態における位置ポイント４３ａから４３ｈの移動軌跡上に舌片４４ａが位置するカウント部４４が配置される。
カウント部４４は、舌片４４ａが回転方向に傾くことで通過した位置ポイント４３ａから４３ｈの数をカウントする。具体的には、舌片４４ａが回転ａ方向に傾いた場合においてはカウント数を加算し、回転ｂ方向に傾いた場合にはカウント数を減算する。標準位置を基準としたカウント数に応じて、後述する回転検出部７５（図９Ａ、９Ｂ参照）により回転ダイヤル部４１における回転量が検出され、その結果、回転位置が特定できる。
【００３９】
更に、回転ダイヤル部４１は、導電性を有する金属製、あるいは導電性を有するように処理された樹脂製の部材により構成される。
回転ダイヤル部４１の内部には、該回転ダイヤル部４１への接触を検出するためのタッチセンサ２００が配置される。タッチセンサ２００は、回転ダイヤル部４１にユーザの指が当接された場合における静電容量の変化を接触検出部７１に出力可能に構成される。
【００４０】
後述する接触検出部７１は、タッチセンサ２００における静電容量の変化に基づいて、回転ダイヤル部４１にユーザの指が接触したことを検出する。接触検出部７１により回転ダイヤル部４１への接触が検出された場合、後述する機能指定部７２を構成する回転検出部７５（図８参照）は、回転ダイヤル部４１における回転を検出可能な状態となる。また、タッチセンサ２００における静電容量の変化に基づいて、接触検出部７１により回転ダイヤル部４１への接触が検出された場合、後述する機能実行部７３は、機能指定部７２により指定された機能を実行可能な状態となる。
【００４１】
回転検出部７５は、接触検出部７１により接触が検出された接触状態の間における回転ダイヤル部４１の回転（回転量及び回転方向）を検出する。この場合、ディスプレイ２１には、回転検出部７５により検出された回転に基づいて、選択位置Ｓに配置されたアイコンＩに対応する機能を報知するメニュー画像を表示する（枠で囲まれて）。
【００４２】
回転ダイヤル部４１への接触が検出されなくなった場合、機能指定部７２を構成する指定部７６は、接触が検出されなくなってから所定時間経過後、上記機能を指定する。機能実行部７３は、指定部７６により指定された一の機能を実行させる。具体的には、機能実行部７３は、指定部７６により指定された一の機能を実施するためのアプリケーションを起動させる。タッチセンサ２００における静電容量の変化に基づく接触検出及び機能の指定等については、後に詳述する。
【００４３】
ここで、回転ダイヤル部４１の操作及び機能について説明する。回転ダイヤル部４１は、図４に示すように、ユーザの指により当接部４１ａに回転方向（図４中の矢印の回転ａ方向及び矢印の回転ｂ方向）への力が加えられることで回転するように筐体における連結部４に取り付けられる。回転ダイヤル部４１には、上述の通り、回転方向において所定の間隔ごとにアイコンＩ（アイコンＩａからＩｈ）が付されている。アイコンＩは、図５に示すように、アプリケーションを選択する際にユーザにとって理解（イメージ）しやすい記号や絵によって描かれている。
【００４４】
ユーザは、回転ダイヤル部４１における当接部４１Ａに指を置いて、回転ダイヤル部４１を回転させるための準備状態に入る。この場合、回転ダイヤル部４１に配置されたタッチセンサ２００における静電容量は、変化する。接触検出部７１は、タッチセンサ２００における静電容量の変化により回転ダイヤル部４１に対する接触を検出する。これにより、上述の通り、機能指定部を構成する回転検出部７５は、回転ダイヤル部４１における回転量を検出可能な状態となる。また、機能実行部７３は、機能指定部７２により指定された指定機能を実行可能な状態となる。
【００４５】
そして、ユーザは、アイコンＩを手掛かりとして、所望する機能（アプリケーション）に対応するアイコンＩを選択位置Ｓまで移動させる。これにより、指定部７６は、選択位置Ｓに配置されるアイコンＩに対応する機能を指定可能な状態となる。
【００４６】
ユーザは、所望の機能を動作させるアプリケーションに対応したアイコンＩが選択位置Ｓに配置された状態において、当接部４１Ａに置かれていた指を離間させる。これにより、接触検出部７１は、タッチセンサ２００における静電容量の変化に基づいて、指が接触していない非接触状態であることを検出すると共に、非接触状態であるとの検出結果を指定部７６に出力する。
【００４７】
指定部７６は、接触検出部７１により検出された状態が接触状態から非接触状態に変化した場合、選択位置のアイコンＩに対応した機能を指定する。具体的には、指定部７６は、接触検出部７１により検出された状態が接触状態から非接触状態に変化した場合、回転検出部７５により検出された回転（回転方向及び回転量）に基づいて、実行する機能を指定する。
【００４８】
機能実行部７３は、指定部７６により指定された機能を実行する。具体的には、機能実行部７３は、接触検出部７１により検出された状態が接触状態から非接触状態に変化した後、所定時間内に接触検出部７１により再度の接触が検出された場合には、指定された機能を実行するアプリケーションを起動させ、所定時間内に接触検出部７１により再度の接触が検出されない場合には、指定された機能を実行するアプリケーションを起動させる。
【００４９】
このようにして、回転ダイヤル部４１は、物理的な回転ダイヤルの操作により、各種の機能を発揮するメニュー選択を可能とする。
メニューの選択において、具体的には、図４及び図５に示すように、ユーザが回転ダイヤル部４１に指を当接させた状態で回転操作して無操作時（ニュートラル（Ｎ））を基準として、回転ａ方向に４５度（回転ｂ方向に３１５度）±２２．５度回転させると共に、回転操作後に指を離間させることで、カメラ機能が指定される。そして、ユーザの指が回転ダイヤル部４１から離間して所定時間（例えば、２から３秒間）経過した後、撮像部１７のカメラ機能を動作させるアプリケーションが起動する。
【００５０】
また、ユーザが回転ダイヤル部４１に指を当接させた状態で回転操作して無操作時（ニュートラル（Ｎ））を基準として、回転ａ方向に９０度（回転ｂ方向に２７０度）±２２．５度回転させると共に、回転操作後に指を離間させることで、メール機能が指定される。そして、ユーザの指が回転ダイヤル部４１から離間して所定時間（例えば、２から３秒間）経過した後、カメラ機能を動作させるアプリケーションが起動する。
【００５１】
また、ユーザが回転ダイヤル部４１に指を当接させた状態で回転操作して無操作時（ニュートラル（Ｎ））を基準として、回転ａ方向に１３５度（回転ｂ方向に２２５度）±２２．５度回転させると共に、回転操作後に指を離間させることで、カレンダー機能が指定される。そして、ユーザの指が回転ダイヤル部４１から離間して所定時間（例えば、２から３秒間）経過した後、カレンダー機能を動作させるアプリケーションが起動する。
【００５２】
また、ユーザが回転ダイヤル部４１に指を当接させた状態で回転操作して無操作時（ニュートラル（Ｎ））を基準として、回転ａ方向に１８０度（回転ｂ方向に１８０度）±２２．５度回転させると共に、回転操作後に指を離間させることで、ツールメニュー（携帯電話機１における音出力等に関する各種の設定を行うメニュー）機能が指定される。そして、ユーザの指が回転ダイヤル部４１から離間して所定時間（例えば、２から３秒間）経過した後、ツールメニュー機能を動作させるアプリケーションが起動する。
【００５３】
また、ユーザが回転ダイヤル部４１に指を当接させた状態で回転操作して無操作時（ニュートラル（Ｎ））を基準として、回転ａ方向に２２５度（回転ｂ方向に１３５度）±２２．５度回転させると共に、回転操作後に指を離間させることで、テレビ機能が指定される。そして、ユーザの指が回転ダイヤル部４１から離間して所定時間（例えば、２から３秒間）経過した後、テレビ機能を動作させるアプリケーションが起動する。
【００５４】
また、ユーザが回転ダイヤル部４１に指を当接させた状態で回転操作して無操作時（ニュートラル（Ｎ））を基準として、回転ａ方向に２７０度（回転ｂ方向に９０度）±２２．５度回転させると共に、回転操作後に指を離間させることで、メモ帳機能が指定される。そして、ユーザの指が回転ダイヤル部４１から離間して所定時間（例えば、２から３秒間）経過した後、メモ帳機能を動作させるアプリケーションが起動する。
【００５５】
また、ユーザが回転ダイヤル部４１に指を当接させた状態で回転操作して無操作時（ニュートラル（Ｎ））を基準として、回転ａ方向に３１５度（回転ｂ方向に４５度）±２２．５度回転させると共に、回転操作後に指を離間させることで、アドレス帳機能が指定される。そして、ユーザの指が回転ダイヤル部４１から離間して所定時間（例えば、２から３秒間）経過した後、アドレス帳機能を動作させるアプリケーションが起動する。
【００５６】
次いで、図８により、携帯電話機１における機能的な構成について説明する。図８は、携帯電話機１の機能を示す機能ブロック図である。
図８に示すように、携帯電話機１は、外部の端末と通信を行う通信部６０と、充電池８０と、充電池８０から供給される電源電圧を所定の電圧に変換し変換後の電圧を通信部６０やＣＰＵ７０等に供給する電源回路部９０と、操作部１１と、所定の情報を表示するディスプレイ２１と、ユーザの操作により回転される回転ダイヤル部４１と、タッチセンサ２００と、タイマー２０５と、ＣＰＵ７０と、メモリ１００と、を備える。
【００５７】
通信部６０は、所定の使用周波数帯により外部装置と通信を行うメインアンテナ６１と、変調処理又は復調処理等の信号処理を行う通信処理部６２と、を備える。
【００５８】
メインアンテナ６１は、所定の使用周波数帯（例えば、８００ＭＨｚ）で外部装置（基地局）と通信を行う。なお、本実施の形態では、所定の使用周波数帯として、８００ＭＨｚとしたが、これ以外の周波数帯であってもよい。また、メインアンテナ６１は、所定の使用周波数帯の他に、第２の使用周波数帯（例えば、２ＧＨｚ）に対応できる、いわゆるデュアルバンド対応型による構成であってもよいし、更に、第３の使用周波数帯以上にも対応できる複数バンド対応型により構成されていてもよい。
【００５９】
通信処理部６２は、メインアンテナ６１によって受信した信号を復調処理し、処理後の信号をＣＰＵ７０に供給し、一方、ＣＰＵ７０から供給された信号を変調処理し、メインアンテナ６１を介して外部装置（基地局）に送信する。
【００６０】
電源回路部９０は、充電池８０から供給される電源電圧を所定の電圧値に変圧し、変圧後の電源電圧を通信部６０やＣＰＵ７０等に供給する。
【００６１】
タイマー２０５は、経時機能を有する。タイマー２０５は、時間情報を出力可能に構成される。タイマー２０５から出力された時間情報は、後述する時間情報取得部７４により利用される。
【００６２】
メモリ１００は、ＣＰＵ７０にて実行される多数のプログラム、所定のパラメータや各種テーブル等を記憶する。
具体的には、メモリ１００は、ＣＰＵ７０にて起動、終了、中断等がなされる多数のアプリケーションプログラムや、これら複数のアプリケーションにて使用されるパラメータ、複数のアプリケーションプログラムを動作させるためのＯＳプログラム等を記憶する。
複数のアプリケーションプログラムには、基準アプリケーション、ミュージック・プレーヤー、カメラ、メール等の携帯電話機１が有するアプリケーションごとのアプリケーションプログラムが含まれる。
【００６３】
また、メモリ１００は、回転量―機能テーブル記憶部１１０を有する。
回転量―機能テーブル記憶部１１０は、回転検出部７５にて検出される回転量（カウント数）と複数の機能（アプリケーション）との対応関係を示す回転量―機能テーブル（１１１、１１２）を記憶する。回転量―機能テーブル（１１１、１１２）は、回転ダイヤル部４１の回転方向及び回転量に対応して振り分けられた機能（アプリケーション）を示すテーブルである。
【００６４】
図９Ａ及び図９Ｂに示すように、回転量―機能テーブル記憶部１１０は、回転ダイヤル部４１が回転ａ方向に回転された場合における第１テーブル１１１及び回転ダイヤル部４１が回転ｂ方向に回転された場合における第２テーブル１１２を記憶する。
【００６５】
ＣＰＵ７０は、回転ダイヤル部４１から供給される回転量に応じて各種機能に対する起動処理を行う。
ここで、ＣＰＵ７０の構成と動作について説明する。
ＣＰＵ７０は、回転ダイヤル部４１へ導電体（例えば、ユーザの指）が接触したことを検出する接触検出部７１と、機能指定部７２と、機能実行部７３と、時間情報取得部７４と、表示制御部７８とを備える。
【００６６】
接触検出部７１は、回転ダイヤル部４１の内部に配置されるタッチセンサ２００により検出される静電容量の変化により、回転ダイヤル部４１に所定の導電体が接触しているかを検出する。言い換えると、接触検出部７１は、タッチセンサ２００により検出される静電容量の変化により、回転ダイヤル部４１に所定の導体が接触している接触状態であるか、回転ダイヤル部４１に所定の導体が接触していない非接触状態であるかを検出する。
接触検出部７１は、タッチセンサ２００により検出される静電容量の変化に基づいて所定の導電体が回転ダイヤル部４１に接触していることを検出した場合、機能指定部７２、回転検出部７５、指定部７６と、機能実行部７３とに検出信号を出力する。
【００６７】
機能指定部７２は、回転ダイヤル部４１における回転に基づいて、複数の機能のうち所定の機能を実行する機能として指定する。機能指定部７２は、接触検出部により接触が検出された状態における回転ダイヤル部４１の回転に基づいて実行する機能を指定する。
【００６８】
機能指定部７２は、回転検出部７５と、指定部７６とを備える。
回転検出部７５は、回転ダイヤル部４１における回転量を検出する。
回転検出部７５は、接触検出部７１により所定の導体が回転ダイヤル部４１に接触していることが検出された場合、起動され又は実行状態が維持される。言い換えると、回転検出部７５は、接触検出部７１により所定の導体が回転ダイヤル部４１に接触していることが検出された場合、通電状態となり又は通電状態が維持される。
【００６９】
つまり、回転検出部７５は、接触検出部７１からの検出信号を受信することで、回転ダイヤル部４１における回転を検出可能な状態になる。回転検出部７５は、接触検出部７１からの検出信号を受信しなくなるか又は非検出信号を受信するまで、回転ダイヤル部４１における回転を検出可能な状態で維持される。
【００７０】
逆に、回転検出部７５は、接触検出部７１により所定の導体が回転ダイヤル部４１に接触していることが検出されない場合には、実行状態が終了され又は起動しない状態が維持される。言い換えると、回転検出部７５は、接触検出部７１により所定の導体が回転ダイヤル部４１に接触していることが検出されない場合、通電状態が終了となり又は通電されない状態が維持される。
【００７１】
回転検出部７５は、上述の通り、カウント部４４にカウントされた位置ポイント４３ａから４３ｈの数により回転ダイヤル部４１における回転量を検出する。例えば、回転ａ方向を＋とした場合において、カウント部４４における位置ポイントのカウント数が「＋１」である場合、回転検出部７５は、回転量を２２．５度から６７．５度であることを検出する。そして、回転検出部７５は、一定時間（例えば、１から２秒）カウント部４４における位置ポイントのカウント数が変化しない場合、当該回転量を指定部７６に通知する。また、回転検出部７５は、カウント部４４における舌片４４ａの傾き方向によって回転方向を検出する。回転検出部７５は、回転量と同様に指定部７６に通知する。
【００７２】
指定部７６は、回転検出部７５により検出された回転ダイヤル部４１における回転（回転方向及び回転量）に基づいて、所定の機能を指定する。具体的には、指定部７６は、接触検出部７１により検出された状態が接触状態から非接触状態に変化した場合、回転検出部７５により検出された回転に基づいて機能を指定する。詳細には、指定部７６は、接触検出部７１により検出された状態が接触状態から非接触状態に変化した場合、回転検出部７５により検出された回転に基づいて選択位置のアイコンＩに対応した機能（アプリケーション）を指定する。
【００７３】
指定部７６は、メモリ１００に記憶された回転量−機能テーブル（１１１、１１２）を参照して、機能を指定する。詳細には、指定部７６は、回転検出部７５により検出された回転方向により第１テーブル１１１又は第２テーブル１１２のいずれか選択して参照し、検出された回転量により指定する機能を決定する。また、指定部７６は、所定の機能を指定した場合、指定機能に関する情報を機能実行部７３に出力する。
【００７４】
機能実行部７３は、機能指定部７２に含まれる指定部７６により指定された機能を実行する。
機能実行部７３は、接触検出部７１により導体が回転ダイヤル部４１に接触していることが検出された場合、機能指定部７２に含まれる指定部７６により指定された指定機能を実行可能な状態となる。機能実行部７３は、接触検出部７１により導体が回転ダイヤル部４１に接触していることが検出された場合、通電状態となる。
【００７５】
機能実行部７３は、接触検出部７１により検出された状態が接触状態から非接触状態に変化した後、所定時間内に接触検出部７１により再度の接触が検出された場合には、指定された機能を実行するアプリケーションを起動させない。
そして、機能実行部７３は、接触検出部７１により検出された状態が接触状態から非接触状態に変化した後、所定時間内に接触検出部７１により再度の接触が検出されない場合には、指定された機能を実行するアプリケーションを起動させる。
【００７６】
具体的には、機能実行部７３は、時間情報取得部７４からの時間情報に基づいて、検出された状態が接触状態から非接触状態に変化した後、所定時間経過したか否かを判定する。
そして、機能実行部７３は、所定時間経過したと判定した場合、指定された機能を実行するアプリケーションを起動させる。ここで、指定された機能を実行するアプリケーションが既に実行中の場合、機能実行部７３は、該アプリケーションの実行状態を維持する。
【００７７】
また、機能実行部７３は、所定時間経過していないと判定した場合、指定された機能を実行するアプリケーションを起動させない。
つまり、機能実行部７３は、ユーザが回転ダイヤル部４１を大きく回転させる途中で回転ダイヤル部４１をつまみ直す等の短時間の指の離間（短時間の非接触）を変更途中として扱い、その時点で選択されている機能を実行するアプリケーションを起動させることをしない。これにより、ユーザが選択したい機能を適切に選択できると共に、無駄な起動電力が消費されることを抑制できる。
【００７８】
また、機能実行部７３は、携帯電話機１が電源ＯＮされると、まずＯＳプログラムを立ち上げ、ＯＳ管理下で基準アプリケーションプログラムを起動する。このとき、表示制御部７８はディスプレイ２１に待受画面を表示可能としている。その後、起動すべきアプリケーションが発生する都度、ＯＳ管理下で基準アプリケーションプログラムを終了あるいは中断して新たなアプリケーションプログラムを起動する。この処理に応じて、表示制御部７８は、ディスプレイ２１上に、待受画面に代えて新たに起動したアプリケーションに基づく画面を表示させる。
【００７９】
表示制御部７８は、ディスプレイ２１の表示を制御する。接触検出部７１が静電容量の変化に基づいて回転ダイヤル部４１に導電体が接触したことを検出した場合、表示制御部７８は、複数の機能を示す画像を含むメニュー画像Ｍ（画面）をディスプレイ２１に表示する。具体的には、表示制御部７８は、回転検出部７５の回転量に応じて指定部７６により指定された機能を示す画像を含むメニュー画像Ｍをディスプレイ２１に表示させる（図１１参照）。
【００８０】
ここで、メニュー画像Ｍは、回転検出部７５が回転ダイヤル部４１における回転量を検出可能な状態になったことを示す機能も有する。つまり、ディスプレイ２１にメニュー画像Ｍが表示されることで、ユーザは、回転ダイヤル部４１による機能（アプリケーション）の選択が可能な状態になったことを知ることができる。
【００８１】
また、表示制御部７８は、カメラ機能を実行するアプリケーションに基づく画像をディスプレイ２１に表示させる。具体的には、表示制御部７８は、ディスプレイ２１に撮像部１７を介して被写体の画像を表示させることもできる。
【００８２】
また、表示制御部７８は、起動しているアプリケーションが終了された場合（例えば、オンフックキーが押下げられた場合）、ディスプレイ２１に表示される画像を起動していた機能（アプリケーション）に基づく画像から待ちうけ画像（基準画像）に遷移させる。
【００８３】
続けて、図１０及び図１１により、本実施形態における携帯電話機１の動作について説明する。図１０は、携帯電話機１の動作を説明するフローチャートである。図１１は、メニュー画像Ｍを説明する図である。
【００８４】
図１０に基づいて、携帯電子機器における動作を説明する。
まず、ユーザは、回転ダイヤル部４１を回転操作するため回転ダイヤル部４１に指を置いて触れる（ＳＴ１）。接触検出部７１は、タッチセンサ２００における静電容量の変化に基づいて回転ダイヤル部４１への指の接触を検出する。これにより、回転ダイヤル部４１及び回転ダイヤル部４１の操作により機能を指定して起動させるための各機能が起動する（通電される）ウェイクアップ状態に遷移する（ＳＴ２）。そして、ダイヤル表示部（機能表示部４１Ｂ）がＯＮ状態となり（ＳＴ３）、該ダイヤル表示部には、各機能を示す指標が表示される。
【００８５】
ユーザは、ダイヤル表示部に指標が表示されることで回転ダイヤル部４１により機能を変更可能な状態であることを認識すると共に、表示された指標をもとに機能を選択することができる。また、ディスプレイ２１には、メニュー画像Ｍ（図１１参照）が表示されるので、ユーザは、メニュー画像Ｍを見ながら機能を選択することができる。
【００８６】
また、接触検出部７１が接触を検出することで、タイマー２０５がスタートする（ＳＴ４）。タイマー２０５のスタート時において、タイマー２０５のカウントは０秒である。ここで、タイマー２０５のカウント情報（時間情報）は、時間情報取得部７４により取得される。
【００８７】
そして、タイマー２０５のカウントが２秒未満のときに、回転ダイヤル部４１が回転操作（ダイヤル操作）された場合（ＳＴ５、ＹＥＳ）、タイマー２０５のカウントはリセットされ０秒にもどる（ＳＴ４）。
ここで、接触検出部７１により接触が検出（ダイヤル検出）された状態であって、回転ダイヤル部４１の回転操作（ダイヤル操作）がなされず、所定の指標が選択位置Ｓに表示された状態が維持される場合について、以下に説明する。
【００８８】
まず、この状態において、タイマー２０５のカウントが２秒以上となる場合（ＳＴ６、ＳＴ７）、選択位置Ｓに表示された指標により示される機能が機能指定部７２により指定され（機能確定）され、機能実行部７３により起動される（ＳＴ８）。
【００８９】
また、この状態において、タイマー２０５のカウントが２秒未満のときに、ユーザが指を離した場合（ＳＴ６、ＮＯ）であって、１秒以内に回転ダイヤル部４１をつまむ等により再度接触した場合（ＳＴ１２、ＹＥＳ）、続けて回転操作を行うとみなしてタイマー２０５のカウントをリセットして０秒にする（ＳＴ４）。
また、同様の状態において、タイマー２０５のカウントが２秒未満のときに、ユーザが指を離した場合（ＳＴ６、ＮＯ）であって、１秒以内に回転ダイヤル部４１に接触しなかった場合（ＳＴ１２、ＮＯ）、続けて回転操作を行わないとみなして選択位置Ｓに表示された指標により示される機能が機能指定部７２により指定され（機能確定）され、機能実行部７３により起動される（ＳＴ８）。
【００９０】
そして、新たな機能が起動された後、回転ダイヤル部４１から指が離間している場合（ＳＴ９、ＹＥＳ）、回転ダイヤル部４１に対する接触が検出されなくなる。これにより、ダイヤル表示部はＯＦＦ状態（ＳＴ１０）となり、指標が表示されなくなる。そして、回転ダイヤル部４１及び回転ダイヤル部４１の操作により機能を指定して起動させるための各機能が起動していない（通電されない）スタンバイ状態に遷移する（ＳＴ１１）。
【００９１】
また、新たな機能が起動された後、回転ダイヤル部４１から指が離間されていない場合（ＳＴ９、ＮＯ）、起動した機能を他の機能に変更する操作を行うとみなして、ウェイクアップ状態を維持する（ＳＴ２）。これにより、ユーザは、間違った機能を起動させた等の場合において、迅速に機能を切り替えることができる。
【００９２】
本実施形態によれば、回転ダイヤル部４１を直接操作することにより、一定条件下において、回転ダイヤル部４１に割り当てられている各種機能を直接的に起動させることができ、従来のようにメインメニューを経由する必要がなく、簡易に所望するアプリケーションを起動することができる。
【００９３】
また、本実施形態によれば、回転検出部７５は、接触検出部７１により接触が検出された場合には、起動される。また、回転検出部７５は、接触検出部７１により接触が検出されない場合には、停止される。これにより、回転検出部７５には、必要なときだけ電力が供給される。言い換えると、回転ダイヤル部４１に指が接触されていない場合には接触検出部７１が起動されていないので、携帯電話機１における省電力化を図ることができる。
【００９４】
また、本実施形態によれば、回転ダイヤル部４１から指を離間させ、所定時間経過することで、選択されたアプリケーションを起動させることができる。これにより、簡易な操作で所望のアプリケーションを起動させることができる。つまり、使用性が向上された携帯電話機１を提供することができる。
【００９５】
また、本実施形態によれば、回転ダイヤル部４１から指を離間して所定時間経過前に回転ダイヤル部４１に再度、指が接触された場合、指定機能に対応するアプリケーションは起動されない。これにより、ユーザの意図に反して機能が開始されることを抑制した携帯電話機を提供することができる。
【００９６】
以上、好適な実施形態について説明したが、本発明は上述した実施形態に限定されることなく種々の形態で実施することができる。例えば、本実施形態において、携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）ナビゲーション装置等であってもよい。
【００９７】
また、本実施形態において、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
【００９８】
また、本実施形態において、回転ダイヤル部４１は、ヒンジ機構４Ａにおける開閉軸と略同軸の回転軸Ｚを中心に回転可能に構成されるが、これに限定されず、ユーザの操作によって回転自在な構成であればよい。例えば、回転ダイヤル部４１は、回転軸Ｚと直交する所定の回転軸を中心に回転可能に構成してもよい。
【００９９】
また、本実施形態において、回転ダイヤル部４１により選択可能な機能は上述の通りであるが、これに限定されず、例えば、ユーザ自身が頻繁に使用するメニューを登録可能な構成であってもよいし、また、所望のＷｅｂアドレスを登録しておき、当該Ｗｅｂアドレスを回転ダイヤル部４１により選択することによって、Ｗｅｂブラウザが起動して当該ＷｅｂアドレスのＷｅｂページを閲覧できるような構成であってもよい。また、メニューの数も上述した数（７つ）に限定されるものではない。
【０１００】
また、本実施形態において、回転検出部７５は、カウント部４４によりカウントされた位置ポイントの数に基づいて回転量を検出しているが、これに限定されず、所定のセンサにより回転ダイヤル部４１の回転角度の変化量を回転量として検出してもよい。また、回転検出部７５は、例えば、抵抗率の変化等により回転量を検出する構成にしてもよい。
【０１０１】
また、本実施形態において、回転ダイヤル部４１にユーザの指等が接触した状態において機能が確定されるまでの時間を２秒としているが、これに限定されず、任意に設定することができる。例えば、初期設定を２秒として、ユーザが任意に変更可能としてもよい。
【０１０２】
また、本実施形態において、回転ダイヤル部４１にユーザの指等が接触した状態から接触しない状態になった後、機能が確定されるまでの時間を１秒としているが、これに限定されず、任意に設定することができる。例えば、初期設定を１秒として、ユーザが任意に変更可能としてもよい。
【０１０３】
また、実行中の機能と同じ機能が機能指定部７２により指定された場合、携帯電話機１がマルチウィンドウ対応端末であれば対応できる画面数まで機能を実行させ、マルチウィンドウ非対応端末であればポップアップ表示等を行い実行中の機能と起動要求された機能とのどちらを実行するかユーザに選択させることができる。
【符号の説明】
【０１０４】
１      携帯電話機
２      操作部側筐体
３      表示部側筐体
４      ヒンジ機構
１１    操作部
２１    ディスプレイ
４１    回転ダイヤル部
４１Ａ  当接部
４１Ｂ  機能表示部
７０    ＣＰＵ
７１    接触検出部
７２    機能指定部
７３    機能実行部
７４    時間情報取得部
７５    回転検出部
７６    指定部
１００  メモリ
【図１】
2010231451.tif 000003
【図２】
2010231451.tif 000004
【図３】
2010231451.tif 000005
【図４】
2010231451.tif 000006
【図５】
2010231451.tif 000007
【図６】
2010231451.tif 000008
【図７】
2010231451.tif 000009
【図８】
2010231451.tif 000010
【図９Ａ】
2010231451.tif 000011
【図９Ｂ】
2010231451.tif 000012
【図１０】
2010231451.tif 000013
【図１１】
2010231451.tif 000014